(57)【要約】      （修正有）【課題】帯電粒子を効率よく髪に到達させることができる上にコンパクトなヘアケア装置を提供すること。【解決手段】ハウジング５に、軸流ファン６よりも空気の流れの下流側に、イオン入口５７と、イオン出口５８とを有して、イオンを外部に導くためのイオン流路３０を形成する。ハウジング５内における軸流ファン６よりも空気の流れの下流側かつイオン流路３０よりも空気の流れの上流側に、軸流ファン６を通過したイオンをイオン入口５７の方に導くための整流板８８を配置する。【選択図】図１
2013255747.tif 000002
【特許請求の範囲】
【請求項１】
吸込口と、吹出口とを有するハウジングと、
上記ハウジング内に配置されると共に、上記吸込口から上記吹出口までの空気の流れを生成するための軸流ファンと、
上記ハウジングの空気流路内に配置されたヒータと、
上記ハウジング内における上記軸流ファンよりも上流側に配置されると共に、帯電粒子を生成する帯電粒子発生装置と
を備え、
上記ハウジングは、上記軸流ファンよりも下流側に、帯電粒子入口と、帯電粒子出口とを有して、上記帯電粒子を外部に導くための帯電粒子流路を有し、
上記ハウジング内における上記軸流ファンよりも下流側かつ上記帯電粒子流路よりも上流側に、上記軸流ファンを通過した上記帯電粒子を上記帯電粒子入口の方に導くための整流板を備えることを特徴とするヘアケア装置。
【請求項２】
請求項１に記載のヘアケア装置において、
上記帯電粒子流路と、上記空気流路とは、仕切壁で隔てられ、
上記仕切壁の上流側の端部は、上記整流板を通過した上記帯電粒子を、上記帯電粒子入口の方に導くためのリブを有することを特徴とするヘアケア装置。
【請求項３】
請求項１または２に記載のヘアケア装置において、
上記整流板は、上記空気の流れを、上記ヒータ側に流動する第１の空気の流れと、上記帯電粒子流路側に流動する第２の空気の流れとに分流する仕切板であることを特徴とするヘアケア装置。
【請求項４】
請求項１から３までのいずれか一項に記載のヘアケア装置において、
上記帯電粒子流路の少なくとも一部は、非金属材料からなることを特徴とするヘアケア装置。
【発明の詳細な説明】
【技術分野】
【０００１】
本発明は、ヘアケア装置に関する。
【背景技術】
【０００２】
従来、ヘアケア装置としては、特許第３４０２３２３号公報（特許文献１）に記載されたドライヤーがある。このドライヤーは、ハウジングと、ファンと、ヒータと、イオン発生器とを備え、上記ファン、ヒータおよびイオン発生器は、ハウジング内に配置されている。上記ハウジングは、取手側とは反対側に、上記ヒータが配置される空気流路とは別に、ドライヤーの軸方向に垂直な方向に突出すると共に、軸方向に延在するイオン流路を有し、上記イオン発生器を、イオン流路内に配置している。
【０００３】
上記イオン流路は、イオン放出口を有している。また、上記ファンによって生成されて上記ヒータを通過した風が、イオン流路に流れない一方、空気流路に流れるようにしている。このドライヤーは、イオンのための専用の流路を設けて、イオンが、高温空気が流れる空気流路内を流れないようにすることにより、イオンの放出量が減少することを抑制している。
【０００４】
しかしながら、上記従来のドライヤーでは、イオンの放出量を大きくできる一方、空気流路とは別に、取手側とは反対側にイオン流路を設けて、このイオン流路に、比較的大きいイオン発生器を配置しているから、ドライヤーが大型化するという問題がある。
【０００５】
また、上記従来のドライヤーでは、メインハウジングにファンと空気流路を備え、その上部にイオン流路と流入経路を設けているため、風が送風方向（水平線上）に沿って流入しない結果、イオンを効率良く髪に到達させることができないという問題もある。
【先行技術文献】
【特許文献】
【０００６】
【特許文献１】特許第３４０２３２３号
【発明の概要】
【発明が解決しようとする課題】
【０００７】
そこで、本発明の課題は、帯電粒子を効率よく髪に到達させることができる上にコンパクトなヘアケア装置を提供することにある。
【課題を解決するための手段】
【０００８】
上記課題を解決するため、この発明のヘアケア装置は、
吸込口と、吹出口とを有するハウジングと、
上記ハウジング内に配置されると共に、上記吸込口から上記吹出口までの空気の流れを生成するための軸流ファンと、
上記ハウジングの空気流路内に配置されたヒータと、
上記ハウジング内における上記軸流ファンよりも上流側に配置されると共に、帯電粒子を生成する帯電粒子発生装置と
を備え、
上記ハウジングは、上記軸流ファンよりも下流側に、帯電粒子入口と、帯電粒子出口とを有して、上記帯電粒子を外部に導くための帯電粒子流路を有し、
上記ハウジング内における上記軸流ファンよりも下流側かつ上記帯電粒子流路よりも上流側に、上記軸流ファンを通過した上記帯電粒子を上記帯電粒子入口の方に導くための整流板を備えることを特徴としている。
【０００９】
尚、上記帯電粒子とは、例えば、プラスイオン、マイナスイオン、空気中の水分から生み出される微粒子イオン、電子等の電荷が帯電している粒子のことをいう。
【００１０】
本発明によれば、上記帯電粒子発生装置が、ハウジング内においてスペースが大きい軸流ファンよりも空気の流れの上流側に配置されているから、帯電粒子発生装置を配置するための新たなスペースを必要とせず、ヘアケア装置をコンパクトに形成できる。
【００１１】
また、本発明によれば、帯電粒子発生装置が軸流ファンによって生じる空気の流れ内に帯電粒子を生成することにより、帯電粒子を吹出口を介して外部に効率よく吹き出すことができる。したがって、帯電粒子を効率よく髪に到達させることができる。
【００１２】
また、本発明によれば、ハウジング内における軸流ファンよりも空気の流れの下流側かつ帯電粒子流路よりも空気の流れの上流側に、軸流ファンを通過した帯電粒子を帯電粒子入口の方に導くための整流板を備えるから、軸流ファンを通過した帯電粒子を帯電粒子入口の方に効率良く導ことができる。したがって、帯電粒子が、軸流ファンからの力によって周方向の軸流ファンの回転方向側に移動したとしても、帯電粒子を帯電粒子流路に効率よく収めることができる。
【００１３】
仮に、図７、すなわち、整流板３８８を有する整流部材３１０の斜視図に示すように、ハウジング内に配置される整流板３８８が、径方向および軸方向に延在する周知の構成であるとすると、帯電粒子の流れが軸流ファンからの力によって軸流ファンの回転方向に周方向にねじれるため、帯電粒子における軸流ファンの回転方向の周方向の位置ずれを元に戻すことができなくて、帯電粒子発生装置において発生した帯電粒子が、折角形成した帯電粒子流路を通らない現象が生じ、帯電粒子がヒータ等との接触により消滅し易くなり、吹出口の帯電粒子濃度を高くしにくくなるのである。
【００１４】
また、一実施形態では、
上記帯電粒子流路と、上記空気流路とは、仕切壁で隔てられ、
上記仕切壁の上流側の端部は、上記整流板を通過した上記帯電粒子を、上記帯電粒子入口の方に導くためのリブを有する。
【００１５】
上記実施形態によれば、仕切壁における空気の流れの上流側の端部が、整流板を通過した帯電粒子を、上記帯電粒子入口の方に導くためのリブを有するから、更に、帯電粒子を、帯電粒子流路の方に導ことができて、吹出口の帯電粒子濃度を更に高くすることができる。
【００１６】
また、一実施形態では、
上記整流板は、上記空気の流れを、上記ヒータ側に流動する第１の空気の流れと、上記帯電粒子流路側に流動する第２の空気の流れとに分流する仕切板である。
【００１７】
上記実施形態によれば、仕切板で、帯電粒子流路側に流動する第２の空気の流れを生成できるから、帯電粒子を、帯電粒子流路の方に導ことができて、吹出口の帯電粒子濃度を更に高くすることができる。
【００１８】
また、一実施形態では、
上記帯電粒子流路の少なくとも一部は、非金属材料からなる。
【００１９】
上記実施形態によれば、帯電粒子流路の少なくとも一部は、非金属材料からなるから、帯電粒子が、上記帯電粒子流路の少なくとも一部に衝突しても、電荷を失いにくくて、消滅しにくくすることができる。したがって、帯電粒子流路を通過する帯電粒子が、帯電粒子流路に衝突することによって電荷を失うことを抑制できて、帯電粒子が放出されるまでに消滅することを抑制できる。
【発明の効果】
【００２０】
本発明によれば、帯電粒子を効率よく髪に到達させることができる上にコンパクトなヘアケア装置を実現できる。
【図面の簡単な説明】
【００２１】
【図１】本発明のヘアケア装置の一実施形態であるドライヤーの模式縦断面図である。
【図２】吸気口フィルタを取り外した状態のドライヤーを後方から見たときの図である。
【図３】上記ドライヤーの整流部材の斜視図である。
【図４】上記制御部と、各部位との入出力の関係を示すブロック図である。
【図５】イオン流路のイオン入口付近が見えるようにした更なる変形例のドライヤーの切断斜視図である。
【図６】変形例の整流部材の斜視図である。
【図７】周知の整流部材を示す斜視図である。
【発明を実施するための形態】
【００２２】
以下、本発明を図示の形態により詳細に説明する。
【００２３】
図１は、本発明のヘアケア装置の一実施形態であるドライヤーの模式縦断面図である。
【００２４】
図１に示すように、このドライヤーは、ドライヤー本体１と、取手２とを備え、取手２は、ドライヤー本体１に接続している。上記取手２は、折り畳み用ボタン１２を押圧すると、関節によりドライヤー本体１に対して折り畳みできるようになっている。上記取手２は、折りたたみ状態では、ドライヤー本体１に沿うように延在する一方、取手の機能を発揮するときには、図１に示すように、ドライヤー本体１の軸方向に略垂直な方向に延在するようになっている。
【００２５】
ドライヤー本体１は、ハウジング５と、軸流ファン６と、ヒータ７と、帯電粒子発生装置の一例としてのイオン発生器８と、ファンモータ９と、整流部材１０とを有する。上記ハウジング５は、筒状の部材であって、吸込口１７と、吹出口１８とを有し、吸込口１７は、ハウジング５の延在方向の一端部に位置する一方、吹出口１８は、ハウジング５の延在方向の他端部に位置している。図１に示すように、上記吸込口１７には、着脱可能な吸込口フィルタ２０が取り付けられる一方、吹出口１８には、吹出口フィルタ２１が取り付けられている。このようにして、吸込口１７や吹出口１８を通じて外部の埃等がハウジング５内に入り込むのを抑制している。
【００２６】
上記軸流ファン６およびファンモータ９は、ハウジング５内に配置されている。上記軸流ファン６は、ファンモータ９によって駆動されるようになっている。上記軸流ファン６は、ハウジング５内に、吸込口１７から吹出口１８までの空気の流れを生成するようになっている。上記ハウジング５内には制御部が存在している。制御部によって、ファンモータ９の多段出力駆動を可能にする周知の駆動回路を制御することにより、軸流ファン６が、高出力駆動と、その高出力駆動よりも低出力の低出力駆動とをできるようになっている。
【００２７】
上記ヒータ７は、ハウジング５内に位置している。詳しくは、上記ハウジング５は、帯電粒子流路としてのイオン流路３０と、空気流路３１とを有し、イオン流路３０と、空気流路３１とは、仕切壁３３で隔てられている。上記仕切壁３３は、平板からなり、軸流ファン６の軸方向に延在している。上記イオン流路３０および空気流路３１の夫々は、軸流ファン６およびファンモータ９よりも空気の流れの下流側に位置し、略軸流ファン６の軸方向に延在している。上記ヒータ７は、空気流路３１内に配置されている。上記ヒータ７は、吸込口１７から取り込まれて空気流路３１内を流動する空気を加熱して温風を生成するようになっている。上記制御部は、図示しないヒータ制御装置に信号を出力するようになっており、ヒータ制御装置は、ヒータ７に供給する電力の通遮電を行うようになっている。
【００２８】
上記イオン発生器８は、特許第３６８０１２１号に記載されている著名のイオン発生器で構成され、帯電粒子の一例としての著名な正負のＰＣＩ（プラズマクラスターイオン：登録商標）を放出するようになっている。上記イオン発生器８は、軸流ファン６およびファンモータ９よりも上記空気の流れの上流側に位置している。図１に示すように、上記イオン発生器８は、ハウジング５内にハウジング５の内周面に接触するように配置されている。上記イオン発生器８は、ハウジング５内の取手２側に配置されている。上記イオン発生器８は、上記空気の流れの中に正負のＰＣＩを放出するようになっている。
【００２９】
上記イオン流路３０は、ハウジング５の内周面の一部と、仕切壁３３とで画定されている。上記イオン流路３０は、帯電粒子入口としてのイオン入口５７と、帯電粒子出口としてのイオン出口５８とを有する。上記仕切壁３３においてイオン流路３０に面する表面部は、樹脂材料等の非金属材料からなっている。
【００３０】
図１に示すように、上記整流部材１０は、軸流ファン６よりも空気の流れの下流側に位置している。上記整流部材１０は、環状部材であり、複数の整流板８８を有する。上記複数の整流板８８は、径方向および軸方向に延在し、複数の整流板８８は、周方向に互いに間隔をおいて位置している。上記整流部材１０は、周方向に隣接する整流板８８と整流板８８との間を通過する風の向きを整流するようになっている。
【００３１】
上記取手２には、操作部１１が形成されている。ユーザが、操作部１１を用いて情報を入力すると、その情報は、制御部に送られるようになっている。上記制御部は、ＣＰＵ（中央演算処理装置：Central Processing Unit）からなっている。上記制御部は、プログラムおよびデータを格納する図示しないメモリにアクセスできるようになっている。また、制御部と、各部とは、Ｉ／Ｆ（インターフェイス：Interface）によって、データを入出力するようになっている。上記制御部および上記メモリは、上記空気の流れにおいて、ヒータ７よりも上流側に位置している。このようにして、上記制御部の電装品およびメモリが、上記空気の流れで冷却されるようにしている。
【００３２】
図２は、吸気口フィルタ２０を取り外した状態のドライヤーを後方から見たときの図である。尚、図２において、矢印Ａは、軸流ファン６の回転方向を示している。
【００３３】
図２に示すように、イオン発生器８は、イオン流路３０のイオン入口５７に軸方向（軸流ファン６の軸方向）に重なる位置に配置され、イオン流路３０のイオン入口５７に軸方向に正対する位置に配置されている。また、仕切壁３３は、図２において、軸流ファン６の中心と、取手２とを結ぶ線分に垂直な平面上に位置している。
【００３４】
図３は、上記整流部材１０の斜視図である。
【００３５】
図３に示すように、この整流部材１０の各整流板８８は、軸流ファンからの力によって図３に矢印Ａで示す周方向の成分を有するようになった空気の流れを、矢印Ａで示す方向とは反対側の矢印Ｂで示す方向に補正するようになっている。このようにして、イオン発生器８で発生した後、軸流ファン６からの力によって、軸方向に進みながら周方向の矢印Ａ側に移動する進むイオンが、各整流板８８によって軸方向に進みながら周方向の矢印Ｂ側に移動するようにして、整流板８８に到達するまでに発生したイオンにおける軸流ファンの回転方向の周方向のずれと、整流板８８を通過した後、イオン流路３０に到達するまでに発生したイオンにおける軸流ファンの回転方向とは反対方向の周方向のずれとを、相殺するようにして、より多くのイオンを、イオン流路３０内に収容するようにしている。
【００３６】
この実施形態では、上記複数の整流板８８は、周方向に略等間隔に配置されている。上記各整流板８８は、同一であり、軸方向および径方向を含む平面に対して同じように傾いている。また、各整流板８８は、環状の整流部材１０の軸方向の吹出口１８側に行くにしたがって、周方向の軸流ファン６の回転方向とは反対側に移動する部分を有している。
【００３７】
このように、軸流ファン６による流れのねじれを補正する方向に角度を有する整流板８８を有する整流部材１０を配置することにより、軸流ファン６からの力によって図３に矢印Ａで示す周方向の成分を有するようになった空気の流れを、整流板８８によって、矢印Ａで示す方向とは反対側に補正できて、イオン発生器８で発生したイオンの多くを、イオン流路３０を通過させることができる。したがって、イオン流路３０を通らずに空気流路３１へ流れたり、ヒータ等で消滅するイオンを減らして、吹出口１８のイオン濃度を高めることができる。
【００３８】
上記整流部材１０の各整流板８８を風のねじれのずれを補正するように傾斜させることにより、整流部材の整流板が空気の流れに対して略平行もしくはねじれ方向に傾斜している場合であれば、図１に破線の矢印で示す向きに流れる風を、図１に実線の矢印で示す向きに流すことができるようになるのである。尚、図３に参照番号９９で示す部材、および、図７に参照番号３９９で示す部材は、モータシャフトである。
【００３９】
図４は、上記制御部５０と、各部位との入出力の関係を示すブロック図である。
【００４０】
図４に示すように、制御部５０には、ヒータ制御装置５１、ファンモータ９、操作部１１（図１参照）およびイオン発生用高周波回路５２が接続されている。上記制御部５０は、これらの部位の夫々と、Ｉ／Ｆを介してつながっている。
【００４１】
上記制御部５０は、操作部１１からの情報に基づいて、ヒータ７のヒータ制御装置５１を制御するようになっており、ヒータ７の駆動を制御するようになっている。また、上記制御部５０は、操作部１１からの情報に基づいて、ファンモータ９およびイオン発生用高周波回路５２を制御するようになっており、軸流ファン６およびイオン発生器８の駆動を制御するようになっている。
【００４２】
上記実施形態のドライヤーによれば、イオン発生器８が、ハウジング５内においてスペースが大きい軸流ファン６よりも空気の流れの上流側に配置されているから、イオン発生器８を配置するための新たなスペースを必要とせず、ドライヤーをコンパクトに形成できる。
【００４３】
また、上記実施形態のドライヤーによれば、イオン発生器８が空気の流れの流路内にイオンを生成するようになっているから、イオンを吹出口１８を介して外部に効率よく吹き出すことができる。したがって、イオンを効率よく髪に到達させることができる。
【００４４】
また、上記実施形態のドライヤーによれば、ハウジング５内における軸流ファン６よりも空気の流れの下流側かつイオン流路３０よりも空気の流れの上流側に、軸流ファン６を通過したイオンをイオン入口５７の方に導くための整流板８８を備えるから、軸流ファン６を通過したイオンをイオン入口５７の方に効率良く導ことができる。したがって、イオンが、軸流ファン６からの力によって周方向の軸流ファン６の回転方向側に移動したとしても、イオンをイオン流路３０に効率よく収めることができる。
【００４５】
仮に、ハウジング内に配置される整流板が、図７に示す、径方向および軸方向に延在する周知の構成であるとすると、イオンの流れが軸流ファンからの力によって軸流ファンの回転方向に周方向にねじれるため、イオンにおける軸流ファンの回転方向の周方向の位置ずれを元に戻すことができなくて、イオン発生装置において発生したイオンが、折角形成したイオン流路を通らない現象が生じ、イオンがヒータ等との接触により消滅し易くなり、吹出口のイオン濃度を高くしにくくなるのである。
【００４６】
また、上記実施形態のドライヤーによれば、イオン発生器８が、イオン流路３０内に配置されないから、イオン流路３０の体積を小さくすることができる。したがって、ヒータ７が配置される空気流路３１の体積が過度に小さくなることがないから、ヒータ７の方に風がいかなくなることを防止できて、吹出温度が極端に高くなることを防止できる。
【００４７】
また、上記実施形態のドライヤーによれば、仕切壁３３におけるイオン流路３０に面する部分が、非金属材料からなっているから、イオン流路３０を通過する正負のイオンが、仕切壁３３に衝突することによって電荷を失うことを抑制できて、正負のイオンが放出されるまでに消滅することを抑制できる。
【００４８】
尚、上記実施形態のドライヤーでは、仕切壁３３が、平板からなって、軸方向に延在していたが、この発明では、仕切壁は、風の入口側の端部形状が、より風を捕獲できる方向に折り曲げられていても良い。
【００４９】
例えば、図５に示す、イオン流路１３０のイオン入口１５７付近が見えるようにした更なる変形例のドライヤーの切断斜視図に示すように、イオン流路１３０と、空気流路１３１とを仕切る仕切壁１３３にイオン入口１５７側に、軸流ファンによる流れのねじれを補正する方向に角度を有するリブ１４１,１４２を設けても良い。このようにして、簡易な構成で整流補正を行って、より多くのイオンをイオン流路１３０に導くようにしても良い。
【００５０】
換言すれば、図５に示すように、仕切壁１３３のイオン入口１５７側に、周方向の軸流ファンの回転方向とは反対側に、イオン流路１３０の内部の方に傾斜するリブ１４１を形成して、軸流ファンの回転方向に旋回しながら、軸方向の吹出口側に進んでいるイオンを、イオン入口１５７の方（イオン流路１３０の方）に導くようにしても良い。また、図５に示すように、仕切壁１３３のイオン入口１５７側に、周方向の軸流ファンの回転方向側に軸方向の吸込口側かつ空気流路１３１側に突出するリブ１４２を形成して、軸流ファンの回転方向に旋回しながら、軸方向の吹出口側に進んでいるイオンが、イオン流路１３０の外部に進行することを妨げて、より多くのイオンを、イオン流路１３０内に導ようにしても良い。
【００５１】
このようなリブ１４１,１４２を形成すれば、軸流ファンからの力に基づいて軸流ファンの回転方向に流動しているイオンを、簡易な構成で効率良くイオン流路１３０に導ことができて、吹出口でのイオン密度を高くすることができるのである。尚、図５において、参照番号１４８は、モーターを示し、参照番号１４９は、ヒータユニットを示している。
【００５２】
また、上記実施形態では、整流部材１０の整流板８８は、全て同一であったが、この発明では、整流部材の整流板は、全て同一でなくても良い。詳しくは、図６、すなわち、変形例の整流部材２１０の斜視図に示すように、整流部材２１０が、軸流ファンからの空気の流れを、ヒータ側に流動する第１の空気の流れと、イオン流路側に流動する第２の空気の流れとに分流する整流板であるところの仕切板２８８を有していても良い。
【００５３】
このようにして、仕切板２８８で、イオン流路側に流動する第２の空気の流れを生成して、イオンを第２の空気の流れによってイオン流路の方に導くようにして、吹出口のイオン濃度を高くするようにしても良い。
【００５４】
また、上記実施形態では、仕切壁３３におけるイオン流路３０に面する部分が、非金属材料になっていたが、この発明では、イオン流路の全部に金属部分がないようにして、イオンを効率的に放出するようにしても良い。尚、この発明では、仕切壁のイオン流路側の部分にかぎらず、イオン流路の少なくとも一部が、非金属材料からなっていても良く、イオン流路の全部が金属からなっていても良い。
【００５５】
また、上記実施形態では、帯電粒子発生装置が、正負のＰＣＩを生成するイオン発生器８であり、帯電粒子が、正負のＰＣＩであったが、この発明では、帯電粒子発生装置は、電子を生成する装置であっても良く、帯電粒子は、電子であっても良い。また、この発明では、帯電粒子発生装置は、帯電微粒子水を生成する装置であっても良く、帯電粒子は、帯電微粒子水であっても良い。また、この発明では、帯電粒子発生装置は、正イオンと、負イオンのうちの一方のイオンしか発生させることができなくても良く、帯電粒子は、正イオンと、負イオンのうちの一方のイオンであっても良い。また、この発明では、帯電粒子発生装置は、ＰＣＩ以外の正イオンと、ＰＣＩ以外の負イオンとの両方を、生成する装置であっても良く、帯電粒子は、ＰＣＩ以外の正イオンと、ＰＣＩ以外の負イオンとの両方であっても良い。というのも、ドライヤーから放出されるのが、電荷が帯電した帯電粒子であれば、髪の除電効果があるのが明らかだからである。
【００５６】
また、上記実施形態では、ヘアケア装置が、ドライヤーであったが、この発明では、ヘアケア装置は、カールブラシやヘアアイロン等のドライヤー以外の軸流ファンを有するヘアケア装置であっても良い。というのは、ドライヤーでなくても、軸流ファンを有するヘアケア装置でありさえすれば、軸流ファンによって帯電粒子の流れが、軸流ファンの周方向の回転方向側に曲げられるという現象が生じ、ヒータ等との接触により帯電粒子が消滅し易くなるという事象が発生するのが明らかだからである。
【００５７】
また、本発明のヘアケア装置は、例えば、上記変形例で説明した湾曲した仕切壁と、上記変形例で説明した風を帯電粒子流路に導く整流板とを有していても良い。このように、上記実施形態および変形例で説明した構成のうちの二以上の構成を適宜組み合わせて、本発明の新たな実施形態を構成しても良いことは言うまでもない。
【符号の説明】
【００５８】
５  ハウジング
６  軸流ファン
８  イオン発生器
１７  吸込口
１８  吹出口
３０,１３０  イオン流路
３１,１３１  空気流路
３３,１３３  仕切壁
５７,１５７  イオン入口
５８  イオン出口
８８  整流板
１４１,１４２  リブ
２８８    仕切板
【図１】
2013255747.tif 000003
【図２】
2013255747.tif 000004
【図３】
2013255747.tif 000005
【図４】
2013255747.tif 000006
【図５】
2013255747.tif 000007
【図６】
2013255747.tif 000008
【図７】
2013255747.tif 000009